(57)【要約】【課題】送信装置の無線送信可能領域内で受信装置が電源オン状態になったときに、受信装置の電源オン操作を行ってから映像表示が開始されるまでの時間を短縮することができる無線伝送システムを提供する。【解決手段】無線伝送システムは、送信装置１０及び受信装置２０を備える。送信装置１０は、受信装置２０からのＳＳＩＤ信号を受信し、受信装置２０からのＳＳＩＤ信号と送信装置２０自身のＳＳＩＤ信号とが同一であることが確認できた場合に、送信装置１０と受信装置２０との無線接続の確立を待たずに、テレビ放送受信用チューナー部１２を電源オン状態にする。【選択図】図１
2014053721.tif 000002
【特許請求の範囲】
【請求項１】
送信装置及び受信装置を備える無線伝送システムであって、
前記送信装置は、
テレビ放送受信用チューナー部と、
前記テレビ放送受信用チューナー部から出力される映像信号及び音声信号を変調した無線信号を送信する第１の無線通信部とを備え、
前記受信装置は、
受信した前記無線信号を復調して映像信号及び音声信号を取得し、取得した映像信号及び音声信号を出力する第２の無線通信部と、
前記第２の無線通信部から出力される映像信号に基づく映像を表示するモニター部とを備え、
前記送信装置は、
前記受信装置からのＳＳＩＤ信号を受信し、前記受信装置からのＳＳＩＤ信号と前記送信装置自身のＳＳＩＤ信号とが同一であることが確認できた場合に、前記送信装置と前記受信装置との無線接続の確立を待たずに、前記テレビ放送受信用チューナー部を電源オン状態にすることを特徴とする無線伝送システム。
【請求項２】
前記送信装置は、
前記受信装置からのＳＳＩＤ信号を受信し、前記受信装置からのＳＳＩＤ信号と前記送信装置自身のＳＳＩＤ信号とが同一であることが確認できたにもかかわらず、その後前記送信装置と前記受信装置との無線接続の確立に失敗したと判断した場合に、
前記テレビ放送受信用チューナー部の状態を、
前記受信装置からのＳＳＩＤ信号を受信し、前記受信装置からのＳＳＩＤ信号と前記送信装置自身のＳＳＩＤ信号とが同一であることが確認できた時点の直前の状態に戻す請求項１に記載の無線伝送システム。
【請求項３】
前記送信装置が無線クライアントであり、前記受信装置が無線アクセスポイントである請求項１又は請求項２に記載の無線伝送システム。
【発明の詳細な説明】
【技術分野】
【０００１】
本発明は、テレビ放送受信用チューナー部を有する送信装置と、モニター部を有する受信装置とを備える無線伝送システムに関する。
【背景技術】
【０００２】
テレビ放送受信用チューナー部を有する送信装置と、モニター部を有する受信装置とを備える無線伝送システムが従来から知られている。このような無線伝送システムによると、送信装置と受信装置との無線通信が可能な範囲内であれば、使用者は受信装置を好きな場所に持ち運ぶことができ、好きな場所でテレビ番組を視聴することができる。
【先行技術文献】
【特許文献】
【０００３】
【特許文献１】特開２００９−１７１１８１号公報
【発明の概要】
【発明が解決しようとする課題】
【０００４】
受信装置の電源オン操作を行ってから映像表示が開始されるまでの時間が長いと、使用者が無線伝送システムに対して不満を抱くようになるため、受信装置の電源オン操作を行ってから映像表示が開始されるまでの時間は短い方が望ましい。
【０００５】
なお、特許文献１で開示されている無線伝送システム（特許文献１では「無線通信装置内蔵テレビジョン受像機」と呼ばれている。）は、受信装置（特許文献１では「モニタ部」と呼ばれている。）の主電源がオフされたときに、連動して送信装置（特許文献１では「チューナ部」と呼ばれている。）全体の電源をオフすることで省電力化を図っており、送信装置全体の電源が一旦オフになると、その後受信装置の主電源をオンにしても受信装置と送信装置との無線通信ができない状態になり、使用者が送信装置の設置場所にわざわざ赴いて送信装置の電源をオンにしなければ、再びテレビ番組を視聴することができない。
【０００６】
したがって、特許文献１で開示されている無線伝送システムは、送信装置の無線送信可能領域内で受信装置が電源オン状態になったときに、受信装置の電源オン操作を行ってから映像表示が開始されるまでの時間を短縮することができない。
【０００７】
本発明は、上記の状況に鑑み、送信装置の無線送信可能領域内で受信装置が電源オン状態になったときに、受信装置の電源オン操作を行ってから映像表示が開始されるまでの時間を短縮することができる無線伝送システムを提供することを目的とする。
【課題を解決するための手段】
【０００８】
上記目的を達成するために本発明に係る無線伝送システムは、送信装置及び受信装置を備える無線伝送システムであって、前記送信装置は、テレビ放送受信用チューナー部と、前記テレビ放送受信用チューナー部から出力される映像信号及び音声信号を変調した無線信号を送信する第１の無線通信部とを備え、前記受信装置は、受信した前記無線信号を復調して映像信号及び音声信号を取得し、取得した映像信号及び音声信号を出力する第２の無線通信部と、前記第２の無線通信部から出力される映像信号に基づく映像を表示するモニター部とを備え、前記送信装置は、前記受信装置からのＳＳＩＤ（Service Set Identifier）信号を受信し、前記受信装置からのＳＳＩＤ信号と前記送信装置自身のＳＳＩＤ信号とが同一であることが確認できた場合に、前記送信装置と前記受信装置との無線接続の確立を待たずに、前記テレビ放送受信用チューナー部を電源オン状態にする構成（第１の構成）とする。
【０００９】
このような構成によると、前記送信装置と前記受信装置との無線接続が確立してから、前記テレビ放送受信用チューナー部を電源オン状態にする構成に比べて、前記送信装置の無線送信可能領域内で前記受信装置が電源オン状態になったときに、前記受信装置の電源オン操作を行ってから映像表示が開始されるまでの時間を短縮することができる。
【００１０】
また、上記第１の構成の無線伝送システムにおいて、前記送信装置は、前記受信装置からのＳＳＩＤ信号を受信し、前記受信装置からのＳＳＩＤ信号と前記送信装置自身のＳＳＩＤ信号とが同一であることが確認できたにもかかわらず、その後前記送信装置と前記受信装置との無線接続の確立に失敗したと判断した場合に、前記テレビ放送受信用チューナー部の状態を、前記受信装置からのＳＳＩＤ信号を受信し、前記受信装置からのＳＳＩＤ信号と前記送信装置自身のＳＳＩＤ信号とが同一であることが確認できた時点の直前の状態に戻す構成（第２の構成）とすることが好ましい。
【００１１】
このような構成によると、前記テレビ放送受信用チューナー部が不必要に電源オン状態になったままでいることを防止することができるので、前記テレビ放送受信用チューナー部の無駄な電力消費を抑えることができる。
【００１２】
また、上記第１又は第２の構成の無線伝送システムにおいて、前記送信装置が無線クライアントであり、前記受信装置が無線アクセスポイントである構成（第３の構成）とすることが好ましい。
【００１３】
このような構成によると、前記受信装置の電源オン操作を行ってから映像表示が開始されるまでの時間をより一層短縮することができる。
【発明の効果】
【００１４】
本発明によると、送信装置の無線送信可能領域内で受信装置が電源オン状態になったときに、受信装置の電源オン操作を行ってから映像表示が開始されるまでの時間を短縮することができる無線伝送システムを実現することができる。
【図面の簡単な説明】
【００１５】
【図１】本発明に係る無線伝送システムの一構成例を示す図である。
【図２】第１実施形態に係る無線接続を確立するための手順を示す図である。
【図３】送信装置がＳＳＩＤ信号を受信したときに行う動作を示すフローチャートである。
【図４】第２実施形態に係る無線接続を確立するための手順を示す図である。
【発明を実施するための形態】
【００１６】
本発明の実施形態について図面を参照して以下に説明する。図１は、本発明に係る無線伝送システムの一構成例を示す図である。なお、図が煩雑になることを避けるため、図１では電源回路２７から各部に電力を供給するための電源ラインの図示を省略している。図１に示す無線信号伝送システムは、送信装置１０と、受信装置２０とを備えている。
【００１７】
まず、送信装置１０について説明する。送信装置１０は、分配器１１と、テレビ放送受信用チューナー部１２と、無線通信部１３と、制御部１４と、電源回路１５とを備えている。
【００１８】
分配器１１は、地上デジタルテレビ放送信号や衛星デジタルテレビ放送信号等のテレビ放送信号を二分配し、一方を外部に出力し、他方をテレビ放送受信用チューナー部１２に出力する。
【００１９】
テレビ放送受信用チューナー部１２は、分配器１１から出力されたテレビ放送信号に対して選局処理を施して、受信チャンネルの映像信号及び音声信号を取得し、取得した映像信号及び音声信号を無線通信部１３に出力する。テレビ放送受信用チューナー部１２から出力される映像信号及び音声信号はどのような形式の信号であってもよく、例えばアナログ信号、デジタル信号のどちらでもよく、圧縮信号、非圧縮信号のどちらでもよい。したがって、必要に応じて、選局処理後に所定の信号処理を実行する信号処理回路をテレビ放送受信用チューナー部１２内に設けるようにすればよい。
【００２０】
テレビ放送受信用チューナー部１２は、電源回路１２Ａを内蔵している。電源回路１２Ａは、電源回路１５から供給されるＤＣ電圧を用いてテレビ放送受信用チューナー部１２を動作させるために必要な電源電圧を生成する。
【００２１】
テレビ放送受信用チューナー部１２は、映像信号及び音声信号の出力が可能な電源オン状態と、映像信号及び音声信号の出力が不可能である電源オフ状態と、消費電力が電源オン状態よりも少なくて電源オフ状態よりも多く、映像信号及び音声信号の出力が不可能であって、電源オン状態へ切り替わる際の移行時間が電源オフ状態よりも短いスタンバイ状態との３つの状態をとることができる。なお、本構成例とは異なり、電源オン状態と電源オフ状態の２つの状態しかとることができないテレビ放送受信用チューナー部を用いても構わない。
【００２２】
無線通信部１３は、テレビ放送受信用チューナー部１２から出力される映像信号及び音声信号を変調した無線信号を送信する。変調方式及び無線信号の周波数帯は特に限定されないが、例えばＩＥＥＥ８０２．１１ａ、ＩＥＥＥ８０２．１１ｇ、ＩＥＥＥ８０２．１１ｂ等に準拠した変調方式及び無線信号の周波数帯を用いることができる。無線通信部１３は、電源回路１３Ａを内蔵している。電源回路１３Ａは、電源回路１５から供給されるＤＣ電圧を用いて無線通信部１３を動作させるために必要な電源電圧を生成する。
【００２３】
制御部１４は、テレビ放送受信用チューナー部１２の動作及び無線通信部１３の動作を制御する。制御部１４は、電源回路１５から供給されるＤＣ電圧を制御部１４自身の電源電圧として利用する。
【００２４】
電源回路１５は、外部から供給される商用ＡＣ電圧を所定値のＤＣ電圧に変換して、電源回路１２Ａ、電源回路１３Ａ、及び制御部１４に供給する。
【００２５】
次に、受信装置２０について説明する。受信装置２０は、無線通信部２１と、液晶モニター部２２と、音声出力部２３と、制御部２４と、リモコン受信部２５と、バッテリー２６と、電源回路２７とを備えている。
【００２６】
無線通信部２１は、受信した無線信号を復調して映像信号及び音声信号を取得し、取得した映像信号及び音声信号を出力する。無線通信部２１は、電源回路２１Ａを内蔵している。電源回路２１Ａは、電源回路２７から供給されるＤＣ電圧を用いて無線通信部２１を動作させるために必要な電源電圧を生成する。なお、必要に応じて、無線通信部２１から出力される映像信号に対して所定の信号処理を施す信号処理回路を無線通信部２１と液晶モニター部２２との間に設け、無線通信部２１から出力される音声信号に対して所定の信号処理を施す信号処理回路を無線通信部２１と音声出力部２３との間に設けるようにすればよい。
【００２７】
液晶モニター部２２は、無線通信部２１から出力される映像信号に基づく映像を表示する。液晶モニター部２２は、電源回路２２Ａを内蔵している。電源回路２２Ａは、電源回路２７から供給されるＤＣ電圧を用いて液晶モニター部２２を動作させるために必要な電源電圧を生成する。
【００２８】
音声出力部２３は、例えばアンプとスピーカとによって構成され、電源回路２７から供給されるＤＣ電圧を音声出力部２３自身の電源電圧として利用し、無線通信部２１から出力される音声信号に基づく音声を出力する。
【００２９】
制御部２４は、リモコン受信部２５から出力されるリモコンコード信号等に基づいて、無線通信部２１の動作、液晶モニター部２２の動作、及び音声出力部２３の動作を制御する。制御部２４は、電源回路２７から供給されるＤＣ電圧を制御部２４自身の電源電圧として利用する。
【００３０】
リモコン受信部２５は不図示のリモートコントローラから送信される赤外線リモコン信号を受信し、受信した赤外線リモコン信号に対応するリモコンコード信号を制御部２４に出力する。
【００３１】
電源回路２７は、バッテリー２６から出力されるＤＣ電圧を所定値のＤＣ電圧に変換して受信装置２０の各部に供給する。
【００３２】
受信装置２０は、全ての動作が可能な電源オン状態と、全ての動作が不可能な電源オフ状態と、消費電力が電源オン状態よりも少なくて電源オフ状態よりも多く、赤外線リモコン信号の受付のみが可能であるスタンバイ状態との３つの状態をとることができる。例えば、受信装置２０の電源オン状態とスタンバイ状態との切り替えは、不図示のリモートコントローラに電源キーを設け電源キーの操作によって行えるようにし、受信装置２０の電源オン状態と電源オフ状態との切り替えは、受信装置２０に主電源スイッチを設け、主電源スイッチの操作によって行えるようにすればよい。なお、本構成例とは異なり、電源オン状態と電源オフ状態の２つの状態しかとることができない受信装置、あるいは、電源オン状態とスタンバイ状態の２つの状態しかとることができない受信装置を用いても構わない。
【００３３】
＜第１実施形態＞
図２は、第１実施形態に係る無線接続を確立するための手順を示す図である。本実施形態では、送信装置１０が無線クライアントであり、受信装置２０が無線アクセスポイントクライアントである。
【００３４】
受信装置２０は、受信装置２０自身のＳＳＩＤ信号を無線通信部２１から送信する。
【００３５】
送信装置１０は、受信装置２０からのＳＳＩＤ信号を無線通信部１３で受信し、受信装置２０からのＳＳＩＤ信号と送信装置１０自身のＳＳＩＤ信号とが同一であれば、送信装置１０自身のＳＳＩＤ信号を無線通信部１３から送信する（（Ａ）時点）。
【００３６】
受信装置２０は、送信装置１０からのＳＳＩＤ信号を無線通信部２１で受信し、送信装置１０からのＳＳＩＤ信号と受信装置２０自身のＳＳＩＤ信号とが同一であれば、認証確認データ要求信号を無線通信部２１から送信する（（Ｂ）時点）。
【００３７】
送信装置１０は、受信装置２０からの認証確認データ要求信号を無線通信部１３で受信し、認証確認データ要求信号に応じて、認証確認データを無線通信部１３から送信する（（Ｃ）時点）。
【００３８】
受信装置２０は、送信装置１０からの認証確認データを無線通信部２１で受信し、認証確認データを用いて送信装置１０の認証を行い、認証確認結果（「認証成功」、「認証失敗」のいずれか）を無線通信部２１から送信する（（Ｄ）時点）。
【００３９】
送信装置１０は、受信装置２０からの認証確認結果を無線通信部１３で受信し、認証確認結果が「認証成功」であれば、回線接続要求信号を無線通信部１３から送信する（（Ｅ）時点）。
【００４０】
受信装置２０は、送信装置１０からの回線接続要求信号を無線通信部２１で受信し、回線接続要求信号に応じて、回線接続許可信号を無線通信部２１から送信する（（Ｆ）時点）。
【００４１】
送信装置１０は、受信装置２０からの回線接続許可信号を無線通信部１３で受信する（（Ｇ）時点）。（Ｇ）時点において、送信装置１０と受信装置２０の無線接続が確立する。
【００４２】
本実施形態では、（Ａ）時点において、送信装置１０が図３のフローチャートに示す動作を行う。
【００４３】
送信装置１０の制御部１４は、受信装置２０からのＳＳＩＤ信号を検知し（ステップＳ１）、受信装置２０からのＳＳＩＤ信号と送信装置１０自身のＳＳＩＤ信号とが同一であるか否かを判定する（ステップＳ２）。
【００４４】
受信装置２０からのＳＳＩＤ信号と送信装置１０自身のＳＳＩＤ信号とが同一である場合（ステップＳ２のＹＥＳ）、制御部１４は、テレビ放送受信用チューナー部１２を電源オン状態に変更し（ステップＳ３）、フローの動作を終了する。
【００４５】
受信装置２０からのＳＳＩＤ信号と送信装置１０自身のＳＳＩＤ信号とが同一でない場合（ステップＳ２のＮＯ）、制御部１４は、テレビ放送受信用チューナー部１２を電源オン状態でない状態（電源オフ状態またはスタンバイ状態）を維持し（ステップＳ４）、フローの動作を終了する。
【００４６】
テレビ放送受信用チューナー部１２を電源オン状態に変更する場合、その変更が完了するにはその変更が開始されてから十数秒程度の時間がかかる。また、（Ａ）時点から（Ｇ）時点までは二十数秒程度の時間がかかる。したがって、本実施形態のように（Ａ）時点からテレビ放送受信用チューナー部１２を電源オン状態に変更すれば、（Ｇ）時点までにその変更が完了するため、（Ｇ）時点からテレビ放送受信用チューナー部１２を電源オン状態に変更する構成に比べて、送信装置１０の無線送信可能領域内で受信装置２０が電源オン状態になったときに、受信装置２０の電源オン操作を行ってから液晶モニター部２２での映像表示が開始されるまでの時間を短縮することができる。
【００４７】
なお、通信状況の悪化などにより、図２に示す一連の手順が順調に進まない場合がある。このような場合、通常リトライ処理等が行われるが、（Ａ）時点には到達したにもかかわらず、最終的に（Ｇ）時点にまでは到達せずに無線接続の確立に失敗することがある。
【００４８】
そこで、本実施形態では、送信装置１０は、（Ａ）時点において図３のステップＳ３の処理を開始してから後に、送信装置１０と受信装置２０との無線接続の確立に失敗したと判断した場合に、テレビ放送受信用チューナー部１２の状態を、（Ａ）時点の直前の状態、すなわち電源オン状態でない状態（電源オフ状態又はスタンバイ状態）に戻すようにする。なお、（Ａ）時点において図３のステップＳ３の処理を開始してから後に、送信装置１０と受信装置２０との無線接続の確立に失敗したと判断する判断基準としては、例えば、（Ａ）時点からの経過時間が予め設定した上限時間に達しても送信装置１０と受信装置２０との無線接続が確立できなかった場合に、無線接続の確立に失敗したと判断する判断基準、リトライ回数が予め設定した上限回数に達したときに、それ以後の接続確立手順を中止し、無線接続の確立に失敗したと判断する判断基準などを挙げることができる。
【００４９】
これにより、送信装置１０と受信装置２０との無線接続が確立していない状態で、テレビ放送受信用チューナー部１２が不必要に電源オン状態になったままでいることを防止することができるので、テレビ放送受信用チューナー部１２の無駄な電力消費を抑えることができる。
【００５０】
また、本実施形態では、送信装置１０の制御部１４は、送信装置１０と受信装置２０との無線接続が切断されたと判断した場合に、テレビ放送受信用チューナー部１２を電源オン状態でない状態（電源オフ状態又はスタンバイ状態）にしてテレビ放送受信用チューナー部１２の無駄な電力消費を抑えている。
【００５１】
＜第２実施形態＞
図４は、第２実施形態に係る無線接続を確立するための手順を示す図である。本実施形態では、送信装置１０が無線アクセスポイントであり、受信装置２０が無線クライアントである。
【００５２】
送信装置１０は、送信装置１０自身のＳＳＩＤ信号を無線通信部１３から送信する。
【００５３】
受信装置２０は、送信装置１０からのＳＳＩＤ信号を無線通信部２１で受信し、送信装置１０からのＳＳＩＤ信号と受信装置２０自身のＳＳＩＤ信号とが同一であれば、受信装置２０自身のＳＳＩＤ信号を無線通信部２１から送信する（（ａ）時点）。
【００５４】
送信装置１０は、受信装置２０からのＳＳＩＤ信号を無線通信部１３で受信し、受信装置２０からのＳＳＩＤ信号と送信装置１０自身のＳＳＩＤ信号とが同一であれば、認証確認データ要求信号を無線通信部１３から送信する（（ｂ）時点）。
【００５５】
受信装置２０は、送信装置１０からの認証確認データ要求信号を無線通信部２１で受信し、認証確認データ要求信号に応じて、認証確認データを無線通信部２１から送信する（（ｃ）時点）。
【００５６】
送信装置１０は、受信装置２０からの認証確認データを無線通信部１３で受信し、認証確認データを用いて受信装置２０の認証を行い、認証確認結果（「認証成功」、「認証失敗」のいずれか）を無線通信部１３から送信する（（ｄ）時点）。
【００５７】
受信装置２０は、送信装置１０からの認証確認結果を無線通信部２１で受信し、認証確認結果が「認証成功」であれば、回線接続要求信号を無線通信部２１から送信する（（ｅ）時点）。
【００５８】
送信装置１０は、受信装置２０からの回線接続要求信号を無線通信部１３で受信し、回線接続要求信号に応じて、回線接続許可信号を無線通信部１３から送信する（（ｆ）時点）。
【００５９】
受信装置２０は、送信装置１０からの回線接続許可信号を無線通信部２１で受信する（（ｇ）時点）。（ｇ）時点において、送信装置１０と受信装置２０の無線接続が確立する。
【００６０】
本実施形態では、（ｂ）時点において、送信装置１０が図３のフローチャートに示す動作を行う。図３のフローチャートに示す動作自体は第１実施形態と同一であるため、説明を省略する。
【００６１】
テレビ放送受信用チューナー部１２を電源オン状態に変更する場合、その変更が完了するにはその変更が開始されてから十数秒程度の時間がかかる。また、（ａ）時点から（ｇ）時点までは二十数秒程度の時間がかかる。したがって、本実施形態のように（ｂ）時点からテレビ放送受信用チューナー部１２を電源オン状態に変更すれば、（ｇ）時点までにその変更が完了するため、（ｇ）時点からテレビ放送受信用チューナー部１２を電源オン状態に変更する構成に比べて、送信装置１０の無線送信可能領域内で受信装置２０が電源オン状態になったときに、受信装置２０の電源オン操作を行ってから液晶モニター部２２での映像表示が開始されるまでの時間を短縮することができる。
【００６２】
なお、通信状況の悪化などにより、図４に示す一連の手順が順調に進まない場合がある。このような場合、通常リトライ処理等が行われるが、（ｂ）時点には到達したにもかかわらず、最終的に（ｇ）時点にまでは到達せずに無線接続の確立に失敗することがある。
【００６３】
そこで、本実施形態では、送信装置１０は、（ｂ）時点において図３のステップＳ３の処理を開始してから後に、送信装置１０と受信装置２０との無線接続の確立に失敗したと判断した場合に、テレビ放送受信用チューナー部１２の状態を、（ｂ）時点の直前の状態、すなわち電源オン状態でない状態（電源オフ状態又はスタンバイ状態）に戻すようにする。なお、（ｂ）時点において図３のステップＳ３の処理を開始してから後に、送信装置１０と受信装置２０との無線接続の確立に失敗したと判断する判断基準としては、例えば、（ｂ）時点からの経過時間が予め設定した上限時間に達しても送信装置１０と受信装置２０との無線接続が確立できなかった場合に、無線接続の確立に失敗したと判断する判断基準、リトライ回数が予め設定した上限回数に達したときに、それ以後の接続確立手順を中止し、無線接続の確立に失敗したと判断する判断基準などを挙げることができる。
【００６４】
これにより、送信装置１０と受信装置２０との無線接続が確立していない状態で、テレビ放送受信用チューナー部１２が不必要に電源オン状態になったままでいることを防止することができるので、テレビ放送受信用チューナー部１２の無駄な電力消費を抑えることができる。
【００６５】
また、本実施形態では、送信装置１０の制御部１４は、送信装置１０と受信装置２０との無線接続が切断されたと判断した場合に、テレビ放送受信用チューナー部１２を電源オン状態でない状態（電源オフ状態又はスタンバイ状態）にしてテレビ放送受信用チューナー部１２の無駄な電力消費を抑えている。
【符号の説明】
【００６６】
１０  送信装置
１１  分配器
１２  テレビ放送受信用チューナー部
１２Ａ、１３Ａ、１５  ２１Ａ、２２Ａ、２７  電源回路
１３、２１  無線通信部
１４、２４  制御部
２０  受信装置
２２  液晶モニター部
２３  音声出力部
２５  リモコン受信部
２６  バッテリー
【図１】
2014053721.tif 000003
【図２】
2014053721.tif 000004
【図３】
2014053721.tif 000005
【図４】
2014053721.tif 000006